(57)【特許請求の範囲】
【請求項１】
表示パネルの複数の信号ラインを駆動する信号ドライバと、前記信号ドライバの動作状態を制御する複数の制御情報を発生する制御情報発生手段と、を備える表示駆動装置において、
前記信号ドライバは、信号ライン駆動回路及び制御情報解読手段を有し、
前記制御情報発生手段は、少なくとも複数の制御情報を有する入力制御信号を、一つの接続配線を介して前記信号ドライバの制御情報解読手段に供給し、
前記制御情報解読手段は、前記入力制御信号から前記複数の制御情報を解読して、対応した複数の制御信号を信号ライン駆動回路に供給することを特徴とする表示駆動装置。
【請求項２】
表示パネルの複数の信号ラインを駆動する信号ドライバと、前記信号ドライバの動作状態を制御する複数の制御情報と回路選択情報を発生する制御情報発生手段と、を備える表示駆動装置において、
前記信号ドライバは、信号ライン駆動回路と制御情報解読手段及び回路選択制御手段とを有し、
前記制御情報発生手段は、少なくとも複数の制御情報と回路選択情報を有する入力制御信号を、一つの接続配線を介して前記信号ドライバの制御情報解読手段に供給し、
前記制御情報解読手段は、前記入力制御信号から前記複数の制御情報及び回路選択情報を解読して、対応した複数の制御信号及び回路選択信号を出力し、
前記回路選択制御手段は、前記回路選択信号と前記信号ドライバの回路識別情報とが一致した場合に、前記複数の制御信号を前記信号ライン駆動回路に供給することを特徴とする表示駆動装置。
【請求項３】
前記信号ドライバの回路識別情報を駆動回路の外部より設定する設定手段を有することを特徴とする請求項２に記載の表示駆動装置。
【発明の詳細な説明】
【０００１】
【発明の属する技術分野】
本発明は、液晶駆動装置等の画像信号を処理する表示駆動装置において、駆動回路の制御信号の入力端子数及び配線数を減少させるための改良に関する。
【０００２】
【従来の技術】
図７に従来の液晶駆動装置の一例を示す。同図において、１は液晶表示パネル、２は走査ドライバ、３は信号ドライバ、４はＬＣＤコントローラである。
ＬＣＤコントローラ４は走査ドライバ２及び信号ドライバ３の駆動を制御して画像を液晶表示パネル１に表示させるもので、Ｈ，Ｖ，ＣＳＹＮＣ等の信号が入力され、またビテオコンポジット信号のＲＧＢ反転信号が信号ドライバ３に入力される。
【０００３】
さて、上述した信号ドライバ３のような表示用駆動回路には、表示データ（ＲＧＢ反転信号）の入力端子の他に、クロック信号やいくつかのタイミングを設定するタイミング信号の入力端子、また種々の動作モードを設定する複数の制御信号Ａ〜Ｄのための複数の入力端子が設けられており、かつこれら入力端子に至る信号配線がＬＣＤコントローラ４から設けられている。
【０００４】
【発明が解決しようとする課題】
而して、従来、上記各制御信号Ａ〜Ｂは夫々１つの役割しかもたず、例えば、サンプリングスタートパルスはスタートタイミングを決める役割しかもたなかった。
そのため、信号ドライバ３において種々の機能、例えば、データ・シフト方向切り替え、マルチプレクサ切り替え（画素配列対応）、ノーマル・ワイド表示切り替え等の機能を持たせようとすると、入力端子数、配線数及びそのチップサイズが増加するという問題があった。
【０００５】
本発明の目的は、１つの入力制御信号に複数の制御情報をもたせると共に駆動回路でこれら複数の制御情報を解読して複数の制御信号を得るように構成することにより、入力端子数、配線数及びチップサイズを増加させることなく各種の機能を実行可能とすることにある。
【０００６】
更に本発明の他の目的は、各駆動回路を識別するための識別情報（アドレス）を個々に持たせると共に上記制御情報にアドレス情報（回路選択信号）も含ませることにより、共通の配線で個々の駆動回路毎に異なる設定制御を可能にすることにある。
【０００７】
【課題を解決するための手段】
上記目的を達成するため、第１の発明の表示駆動装置は、表示パネルの複数の信号ラインを駆動する信号ドライバと、前記信号ドライバの動作状態を制御する複数の制御情報を発生する制御情報発生手段と、を備える表示駆動装置において、前記信号ドライバは、信号ライン駆動回路及び制御情報解読手段を有し、前記制御情報発生手段は、少なくとも複数の制御情報を有する入力制御信号を、一つの接続配線を介して前記信号ドライバの制御情報解読手段に供給し、前記制御情報解読手段は、前記入力制御信号から前記複数の制御情報を解読して、対応した複数の制御信号を信号ライン駆動回路に供給することを要旨とする。
【０００８】
また、第２の発明の表示駆動装置は、表示パネルの複数の信号ラインを駆動する信号ドライバと、前記信号ドライバの動作状態を制御する複数の制御情報と回路選択情報を発生する制御情報発生手段と、を備える表示駆動装置において、前記信号ドライバは、信号ライン駆動回路と制御情報解読手段及び回路選択制御手段とを有し、前記制御情報発生手段は、少なくとも複数の制御情報と回路選択情報を有する入力制御信号を、一つの接続配線を介して前記信号ドライバの制御情報解読手段に供給し、前記制御情報解読手段は、前記入力制御信号から前記複数の制御情報及び回路選択情報を解読して、対応した複数の制御信号及び回路選択信号を出力し、前記回路選択制御手段は、前記回路選択信号と前記信号ドライバの回路識別情報とが一致した場合に、前記複数の制御信号を前記信号ライン駆動回路に供給することを要旨とする。
【０００９】
更に、第２の発明の表示駆動装置において、前記回路識別情報を駆動回路の外部より設定する設定手段を設けても良い。
【００１０】
【発明の実施の形態】
図１は本発明の表示駆動装置の第１の実施形態を示す。同図において、１は液晶（ＬＣＤ）表示パネル、２は走査ドライバ、３は信号ドライバ、４はＬＣＤコントローラである。
【００１１】
ＬＣＤコントローラ４はＨ，Ｖ，ＣＳＹＮＣ等の信号が入力されて、走査ドライバ２及び信号ドライバ３を制御して液晶表示パネル１に画像を表示させる。
【００１２】
信号ドライバ３は、信号ライン駆動回路３１及び制御情報デコーダ３２を有しており、ＬＣＤコントローラ４からのタイミング信号及びクロック信号がＲＧＢ反転信号と共に信号ライン駆動回路３１に与えられる。制御情報デコーダ３２は、ＬＣＤコントローラ４から入力制御信号Ｅ及びクロック信号を与えられる。入力制御信号Ｅは、例えば、スタートタイミング、シフト切り替え、マルチプレクサ切り替え、ノーマル・ワイド切り替え等の複数の制御情報を含んでおり、制御情報デコーダ３２は、入力制御信号Ｅからこれらの制御情報を解読し、各制御情報に対応した制御信号Ａ〜Ｄを信号ライン駆動回路３１に出力して前記した各機能を実行するように制御する。
【００１３】
図２（ａ）は前記信号ドライバ３における制御情報デコーダ３２及びその周辺部の構成例を示す。同図に示すように制御情報デコーダ３２は直列−並列変換回路３２ａ及びデコーダ３２ｂから成る。３６は信号ライン駆動回路３１内のシフトレジスタである。
前記ＬＣＤコントローラ４からの制御信号Ｅ及びクロック信号ＣＬＫは直列−並列変換回路３２ａに入力される。入力制御信号Ｅは複数の制御情報を含んでおり、例えば、入力制御信号Ｅは図２（ｂ）に示すようにヘッダー部及び制御情報部Ｄ０〜Ｄ３から成る直列形式の信号となっているので、直列−並列変換回路３２ａにより並列形式の信号に変換されデコーダ３２ｂは変換された制御情報を解読し、各制御情報に対応した制御信号Ａ〜Ｄを出力する。
【００１４】
以上のように構成することにより、本実施形態の表示駆動装置では、下記の効果が得られる。
【００１５】
（ｉ）同じ機能をもたせるのであれば、駆動回路の入力端子数及び配線数を減少させることができ、チップサイズも小型化可能である。または、駆動回路の入力端子数及び配線数を増加させることなく、機能を増加させることができる。
【００１６】
（ii）駆動回路への配線数を減らせることにより、その配線部分に要する面積を減らせる。または、その面積を同じとしたら、配線を太くできる。これにより、例えば、電源線を太くすれば、電源ノイズ低減に効果がある。
図３は本発明の表示駆動装置の第２の実施形態を示す。同図において、１は液晶表示パネル、２は走査ドライバ、３は信号ドライバ、４はＬＣＤコントローラである。
ＬＣＤコントローラ４は、Ｈ，Ｖ，ＣＳＹＮＣ等の信号が入力され、走査ドライバ２及び信号ドライバ３を制御して液晶表示パネル１に画像を表示させる。  信号ドライバ３は、信号ライン駆動回路３１、制御情報デコーダ３２、アドレス情報（回路識別情報）設定回路３３、一致検出回路（アンド回路）３４、スイッチ回路３５を有しており、ＬＣＤコントローラ４からのタイミング信号及びクロック信号がＲＧＢ反転信号と共に信号ライン駆動回路３１に与えられる。制御情報デコーダ３２は、ＬＣＤコントローラ４から入力制御信号Ｅ及びクロック信号を与えられる。入力制御信号Ｅは、例えば、スタートタイミング、シフト切り替え、マルチプレクサ切り替え、ノーマル・ワイド切り替え等の複数の制御情報及び所望の回路選択情報（チップアドレス情報）を含んでおり、制御情報デコーダ３２は、入力制御信号Ｅからこれらの制御情報及び回路選択情報を解読し、各制御情報に対応した制御信号Ａ〜Ｄ及びチップアドレス信号Ｇを出力する。
チップアドレス信号Ｇはアドレス情報設定回路３３からのアドレス信号と共に一致検出回路３４に入力され、両信号が一致したとき、その検出出力によりスイッチ回路３５がオンとなって、制御信号Ａ〜Ｄが信号ライン駆動回路３１に出力され、前記した各機能を実行するように制御する。上記一致が検出されない時はスイッチ回路３５はオンされず、上記制御は行われない。
【００１７】
以上のように構成することにより本実施形態の表示駆動装置では、図１に示す第１の実施形態での効果に加え、更に下記の効果が得られる。
【００１８】
（iii）共通配線で回路毎に異なる機能の設定を行えるので、回路間の配線数を更に削減できる。
【００１９】
（iv）上記配線数の削減による更なる配線部面積の減少、又は配線を太くすることによる更なるノイズ低減の効果がある。
図４は本発明の表示駆動装置の更に第３の実施形態を示す。同図において、１は液晶表示パネル、２は走査ドライバ、３は信号ドライバ、４はＬＣＤコントローラである。
ＬＣＤコントローラ４は、Ｈ，Ｖ，ＣＳＹＮＣ等の信号が入力され、走査ドライバ２及び信号ドライバ３を制御して液晶表示パネル１に画像を表示させる。  信号ドライバ３は、信号ライン駆動回路３１、制御情報デコーダ３２、アドレス情報（回路識別情報）設定回路３３、一致検出回路（アンド回路）３４、スイッチ回路３５を有しており、ＬＣＤコントローラ４からのタイミング信号及びクロック信号がＲＧＢ反転信号と共に信号ライン駆動回路３１に与えられる。アドレス情報設定回路３３には外部よりアドレス設定電圧３７が印加され、それによって任意にアドレス情報を設定できるようにしており、この点が図３に示す第２の実施形態と異なる。制御情報デコーダ３２は、ＬＣＤコントローラ４から入力制御信号Ｅ及びクロック信号を与えられる。入力制御信号Ｅは、例えば、スタートタイミング、シフト切り替え、マルチプレクサ切り替え、ノーマル・ワイド切り替え等の複数の制御情報及び所望の回路選択情報（チップアドレス情報）を含んでおり、制御情報デコーダ３２は、入力制御信号Ｅからこれらの制御情報及び回路選択情報を解読し、各制御情報に対応した制御信号Ａ〜Ｄ及びチップアドレス信号Ｇを出力する。
チップアドレス信号Ｇはアドレス情報設定回路３３からのアドレス信号と共に一致検出回路３４に入力され、両信号が一致したとき、その検出出力によりスイッチ回路３５がオンとなって、制御信号Ａ〜Ｄが信号ライン駆動回路３１に出力され、前記した各機能を実行するように制御する。上記一致が検出されない時はスイッチ回路３５はオンされず、上記制御は行われない。
【００２０】
以上のように構成することにより、本実施形態によれば、図２に示す第２の実施形態での効果に加え、更に下記の効果が得られる。
【００２１】
（ｖ）駆動回路毎の種々の機能設定・変更が容易になる。
図５（ａ）は前記信号ドライバ３における制御情報デコーダ３２及びその周辺部分の構成例を示す。同図に示すように制御情報デコーダ３２は直列−並列変換回路３２ａ及びデコーダ３２ｂから成る。３３はアドレス情報設定部で、外部よりアドレス設定電圧Ａ１，Ａ２を与えることによって任意にアドレス情報を設定できる。３４は一致検出回路、３５はスイッチ回路で、例えば、４つのアンド回路から成る。３６は前記信号ライン駆動回路３１内のシフトレジスタである。
前記ＬＣＤコントローラ４からの制御信号Ｅ及びクロック信号ＣＬＫは直列−並列変換回路３２ａに入力される。入力制御信号Ｅは前記複数の制御情報及びチップアドレス情報を含んでおり、例えば、入力制御信号Ｅは図５（ｂ）に示すようにヘッダー部、チップアドレス部Ａ０〜Ａ３及び制御情報部Ｄ０〜Ｄ３から成る直列形式の信号となっているので、直列−並列変換回路３２ａにより並列形式の信号に変換されデコーダ３２ｂは変換された制御信号から上記制御情報及びチップアドレス情報を解読し、各制御情報に対応した制御信号Ａ〜Ｄ及びチップアドレス信号Ｇを出力する。
チップアドレス信号Ｇはアドレス情報設定回路３３からのアドレス信号と一致検出回路３４に入力され、両信号が一致した時、その検出出力（アドレス一致信号）がスイッチ回路３５の各アンド回路に与えられ制御信号Ａ〜Ｄが前記信号ライン駆動回路側に出力され、例えば、制御信号Ｄはシフトレジスタ３６のスタートパルスとなる。
【００２２】
図６は本発明の図３の実施形態の表示駆動装置を液晶表示パネルの駆動に使用する場合の実施形態を示したものである。同図において、１は液晶表示パネル、２は走査ドライバ、３ａ〜３ｄは信号ドライバ、４はＬＣＤコントローラである。
ＬＣＤコントローラ４は、Ｈ，Ｖ，ＣＳＹＮＣ等の信号が入力されて、走査ドライバ２及び信号ドライバ３ａ〜３ｄを制御して液晶表示パネル１に画像を表示させる。
信号ドライバ３ａ〜３ｄは夫々信号ライン駆動回路３１ａ〜３１ｄ、制御情報デコーダ３２ａ〜３２ｄ、図３のアドレス設定回路３３と一致検出回路３４と同様の構成よりなるアドレス判定回路３３ａ〜３３ｄを有しており、アドレス判定回路３３ａ〜３３ｄには夫々外部のアドレス設定電圧３７ａ〜３７ｄにより夫々の信号ドライバ３ａ〜３ｄをあらわすアドレス情報が設定されている。
ＬＣＤコントローラ４からのクロック信号及びＲＧＢ信号が各信号ライン駆動回路３１ａ〜３１ｄに与えられる。
入力制御信号は、図５（ｂ）に示した入力制御信号Ｅと同様に、スタートタイミング、シフト切り替え、マルチプレクサ切り替え、ノーマル・ワイド切り替え等の複数の制御情報及びチップアドレス情報をシリアル形式に配列した信号であり、チップアドレス情報が先頭に配列されている。入力制御信号は各アドレス判定回路３３ａ〜３３ｄに与えられ、先頭のチップアドレス情報と設定アドレス情報との一致が判定され、一致した時、後続の制御情報が解読され、各制御情報に対応した制御信号がクロック信号と共に信号ライン駆動回路３１ａ〜３１ｄに出力され、前記した各機能を実行するように制御する。上記一致が判定されない信号ドライバでは制御情報が解読されず、上記制御は行われない。
【００２３】
上述したように本実施形態では、共通の配線によって各信号ドライバに入力制御信号を供給することができる。
なお、本発明は液晶駆動装置だけでなく、その他の表示駆動装置にも適用できることは明らかである。
【００２４】
【発明の効果】
以上説明したように本発明によれば、表示パネルの複数の信号ラインを駆動する信号ドライバと、信号ドライバの動作状態を制御する複数の制御情報を発生する制御情報発生手段と、を備える表示駆動装置において、制御情報発生手段から、一つの接続配線を介して信号ドライバに供給する制御信号に、種々の制御情報及び回路選択情報（アドレス情報）を持たせ、信号ドライバの制御情報解読手段においてこれら情報を解読して各制御信号及びアドレス信号を得るようにしているので、下記のような優れた効果を得ることができる。
（１）同じ機能をもたせるとすれば、信号ドライバの入力端子数を減少させることができる。或いは信号ドライバの入力端子数を増加させることなく、多くの機能をもたせることができる。
（２）複数の表示駆動回路使用時の接続配線数を減らせることにより信号ドライバ実装部分の配線面積を減少させる。或いは接続配線を太くしてノイズを減少させることができる。
（３）複数の信号ドライバに対し、共通の配線によって回路毎の機能設定・変更が容易に可能であるため、回路の配線数を減少できる。
（４）複数の信号ドライバに対し、接続配線数減少により信号ドライバとコントロール回路（制御情報発生手段）間の接続面積が減らせる。或いは、接続配線を太くできることによりノイズを減少させることができる。
（５）信号ドライバの回路選択情報（チップアドレス情報）を外部より設定・変更可能とすることにより、回路毎の機能設定・変更が容易となる。なお、本発明を実施するには駆動回路内にデコーダやアドレス設定部を設ける必要があるが、それによるチップ面積の増加は極くわずかで、それによるコスト増加も殆ど問題にならない。
【図面の簡単な説明】
【図１】本発明の一実施形態を示すブロック図である。
【図２】（ａ）は図１の信号ドライバにおける制御情報デコーダ、その周辺部分の構成例を示すブロック図である。（ｂ）は制御信号Ｅの構成例を示す図である。
【図３】本発明の他の実施形態を示すブロック図である。
【図４】本発明の更に他の実施形態を示すブロック図である。
【図５】（ａ）は図４の信号ドライバにおける制御情報デコーダ、その周辺部分の構成例を示すブロック図である。（ｂ）は制御信号Ｅの構成例を示す図である。
【図６】本発明の更に他の実施形態を示すブロック図である。
【図７】従来の液晶表示駆動装置を示すブロック図である。
【符号の説明】
１  液晶表示パネル
２  走査ドライバ
３  信号ドライバ
４  ＬＣＤコントローラ
３１  信号ライン駆動回路
３２  制御情報デコーダ
３３  アドレス情報設定回路
３４  一致検出回路
３５  スイッチ回路
【図１】
0003800827.tif 000002
【図２】
0003800827.tif 000003
【図３】
0003800827.tif 000004
【図４】
0003800827.tif 000005
【図５】
0003800827.tif 000006
【図６】
0003800827.tif 000007
【図７】
0003800827.tif 000008